(57)【要約】【課題】表示の輝度の不必要な切替えを無くして電力の無駄な消費を低減する。【解決手段】携帯型の情報機器は、タッチパネルを用いて行ない得る複数の操作のそれぞれが、タッチパネルによる表示が暗いままでもよい場合の操作として定められた第１の操作および第１の操作ではない第２の操作のいずれであるかを判別する操作判別部と、タッチパネルを用いて行なわれた操作が第１の操作であると判別されたときには、タッチパネルに対する輝度の設定値を変更せず、タッチパネルを用いて行なわれた操作が第２の操作であると判別されたときには、節電時の値として定められた低輝度値よりも大きい高輝度値を設定値として設定する輝度設定部と、を備える。【選択図】図３
2014038514.tif 000002
【特許請求の範囲】
【請求項１】
表示および操作のためのタッチパネルを有する携帯型の情報機器であって、
前記タッチパネルを用いて行なわれた操作が、前記タッチパネルによる表示が暗いままでもよい場合の操作として定められた第１の操作および前記第１の操作ではない第２の操作のいずれであるかを判別する操作判別部と、
前記タッチパネルを用いて行なわれた操作が前記第１の操作であると前記操作判別部によって判別されたときには、前記タッチパネルに対する輝度の設定値を変更せず、前記タッチパネルを用いて行なわれた操作が前記第２の操作であると前記操作判別部によって判別されたときには、節電時の値として定められた低輝度値よりも大きい高輝度値を前記設定値として設定する輝度設定部と、を備える
ことを特徴とする携帯型の情報機器。
【請求項２】
前記輝度設定部は、設定時間にわたって操作が行なわれなかったときに、前記設定値として前記低輝度値を設定する
請求項１記載の携帯型の情報機器。
【請求項３】
前記タッチパネルによって表示されている画像を表示する外部表示装置を接続するためのインタフェースをさらに備え、
前記操作判別部は、前記インタフェースを介して前記外部表示装置が接続されている状態においてのみ、前記タッチパネルを用いて行なわれた操作が前記第１の操作および前記第２の操作のいずれであるかを判別する
請求項１または２記載の携帯型の情報機器。
【請求項４】
ユーザーが前記タッチパネルを用いて行ない得る複数の操作のそれぞれが、前記第１の操作および前記第１の操作ではない第２の操作のいずれに該当するかの分類を示す分類情報をさらに備え、
前記操作判別部は、前記分類情報に基づいて、前記タッチパネルを用いて行なわれた操作が前記第１の操作および前記第２の操作のいずれであるかを判別する
請求項１ないし３のいずれかに記載の情報機器。
【請求項５】
前記タッチパネルによって表示されているフォアグラウンドウィンドウに対応したアプリケーションソフトウェアを判別するアプリケーション判別部をさらに備え、
前記分類情報は、当該情報機器による実行が可能なアプリケーションソフトウェア別に、ユーザーが前記タッチパネルを用いて行ない得る複数の操作のそれぞれが、前記第１の操作と前記第２の操作とのいずれに該当するかの分類を示し、
前記操作判別部は、前記アプリケーション判別部によって判別されたアプリケーションソフトウェアについて前記分類情報が示す分類に基づいて、前記タッチパネルを用いて行なわれた操作が前記第１の操作および前記第２の操作のいずれであるかを判別する
請求項４記載の携帯型の情報機器。
【請求項６】
前記操作判別部は、前記アプリケーション判別部によって判別されたアプリケーションソフトウェアについての分類が前記分類情報の示す分類の中に無い場合、前記分類情報に含まれるデフォルト分類に基づいて、前記タッチパネルを用いて行なわれた操作が前記第１の操作および前記第２の操作のいずれであるかを判別する
請求項５記載の携帯型の情報機器。
【請求項７】
前記分類情報は、前記複数の操作のそれぞれを、そのタッチ動作の種類によって分類する情報である
請求項４ないし６のいずれかに記載の携帯型の情報機器。
【請求項８】
前記分類情報は、前記複数の操作のそれぞれを、それに対応したユーザーの指示内容によって分類する情報である
請求項４ないし６のいずれかに記載の携帯型の情報機器。
【請求項９】
前記分類情報において、前記第１の操作に分類される操作が列挙されている
請求項４ないし８のいずれかに記載の携帯型の情報機器。
【請求項１０】
前記分類情報において、前記第２の操作に分類される操作が列挙されている
請求項４ないし８のいずれかに記載の携帯型の情報機器。
【請求項１１】
表示および操作のためのタッチパネルを有する携帯型の情報機器において実行されるコンピュータープログラムであって、
前記情報機器が有するコンピューターに、
前記タッチパネルを用いて行なわれた操作が、前記タッチパネルによる表示が暗いままでもよい場合の操作として定められた第１の操作および前記第１の操作ではない第２の操作のいずれであるかを判別する操作判別処理と、
前記タッチパネルを用いて行なわれた操作が前記第１の操作であると前記操作判別処理によって判別されたときには、前記タッチパネルに対する輝度の設定値を変更せず、前記タッチパネルを用いて行なわれた操作が前記第２の操作であると前記操作判別処理によって判別されたときには、節電時の値として定められた低輝度値よりも大きい高輝度値を前記設定値として設定する輝度設定処理と、を実行させる
ことを特徴とするコンピュータープログラム。
【請求項１２】
前記操作判別処理は、前記タッチパネルによって表示されている画像を表示する外部表示装置が前記情報機器に接続されている状態においてのみ、前記タッチパネルを用いて行なわれた操作が前記第１の操作および前記第２の操作のいずれであるかを判別する
請求項１１記載のコンピュータープログラム。
【請求項１３】
表示および操作のためのタッチパネルを有する携帯型の情報機器において実行されるコンピュータープログラムであって、
前記情報機器が有するコンピューターに、
前記タッチパネルによって表示されているフォアグラウンドウィンドウに対応したアプリケーションソフトウェアを判別するアプリケーション判別処理と、
前記コンピューターが実行可能なアプリケーションソフトウェア別に、ユーザーが前記タッチパネルを用いて行ない得る複数の操作のそれぞれが、前記タッチパネルによる表示が暗いままでもよい状況での操作であるとみなす第１の操作および前記第１の操作ではない第２の操作のいずれに該当するかの分類を示す分類情報における、前記アプリケーション判別処理によって判別されたアプリケーションソフトウェアについての分類に基づいて、前記タッチパネルを用いて行なわれた操作が前記第１の操作および前記第２の操作のいずれであるかを判別する操作判別処理と、
前記タッチパネルを用いて行なわれた操作が前記第１の操作であると前記操作判別処理によって判別されたときには、前記タッチパネルに対して設定された輝度の設定値を変更せず、前記タッチパネルを用いて行なわれた操作が前記第２の操作であると前記操作判別処理によって判別されたときには、節電時の値として定められた低輝度値よりも大きい高輝度値を前記設定値として設定する輝度設定処理と、を実行させる
ことを特徴とするコンピュータープログラム。
【請求項１４】
前記操作判別処理は、前記アプリケーション判別部によって判別されたアプリケーションソフトウェアについての分類が前記分類情報の示す分類の中に無い場合、前記分類情報に含まれるデフォルト分類に基づいて、前記タッチパネルを用いて行なわれた操作が前記第１の操作および前記第２の操作のいずれであるかを判別する
請求項１３記載のコンピュータープログラム。
【請求項１５】
表示および操作のためのタッチパネルを有する携帯型の情報機器であって、
前記タッチパネルを用いて行なわれた操作が、前記タッチパネルによる表示が暗いままでもよい場合の操作として定められた第１の操作および前記第１の操作ではない第２の操作のいずれであるかを判別する操作判別部と、
前記タッチパネルを用いて行なわれた操作が前記第１の操作であると前記操作判別部によって判別されたときには、節電時の値として定められた低輝度値を前記タッチパネルに対する輝度の設定値として設定し、前記タッチパネルを用いて行なわれた操作が前記第２の操作であると前記操作判別部によって判別されたときには、前記低輝度値よりも大きい高輝度値を前記設定値として設定する輝度設定部と、を備える
ことを特徴とする携帯型の情報機器。
【請求項１６】
表示および操作のためのタッチパネルを有する携帯型の情報機器において実行されるコンピュータープログラムであって、
前記情報機器が有するコンピューターに、
前記タッチパネルを用いて行なわれた操作が、前記タッチパネルによる表示が暗いままでもよい場合の操作として定められた第１の操作および前記第１の操作ではない第２の操作のいずれであるかを判別する操作判別処理と、
前記タッチパネルを用いて行なわれた操作が前記第１の操作であると前記操作判別部によって判別されたときには、節電時の値として定められた低輝度値を前記タッチパネルに対する輝度の設定値として設定し、前記タッチパネルを用いて行なわれた操作が前記第２の操作であると前記操作判別部によって判別されたときには、前記低輝度値よりも大きい高輝度値を前記設定値として設定する輝度設定処理と、を実行させる
ことを特徴とするコンピュータープログラム。
【発明の詳細な説明】
【技術分野】
【０００１】
本発明は、表示および操作のためのタッチパネルを有する携帯型の情報機器に関する。
【背景技術】
【０００２】
タブレット型パーソナルコンピューターおよびスマートフォンといった多機能端末と呼ばれる携帯型の情報機器は、主要な操作手段としてタッチパネルを備えている。ここでいうタッチパネルは、液晶パネルのようなディスプレイとタッチ式ポインティングデバイスとが一体化された入出力装置である。タッチパネルの前面は、操作画面となる画像が表示される表示面と操作のためのタッチ面とを兼ねる。タッチパネルによって表示される操作画面は、ユーザーによる操作に応じて適宜変更される。
【０００３】
一般に、多機能端末には、ディスプレイを有する他の携帯型機器と同様に、表示の輝度を自動的に下げる節電機能を有している。通常の輝度の表示が行なわれている状態でユーザーが設定時間にわたって操作を行なわなかったとき、節電機能によって表示の輝度が下げられる。すなわち、バッテリーからディスプレイに供給される電力が低減される。画面が暗い節電状態において何らかの操作が行なわれると、表示を見易くするために輝度は通常値に戻される。
【０００４】
携帯型の装置における消費電力を抑えるための輝度値の制御に関して、表示内容に応じて輝度値を切り替える技術が知られている。特許文献１には、携帯端末において、電話、ブラウザ、画像ビューワ、カメラといった複数の機能のそれぞれに対応したアプリケーションソフトウェア（以下、アプリケーションという）毎に輝度値を変更し、それによって最適な見易さの表示画面をユーザーに提供することが提案されている。
【先行技術文献】
【特許文献】
【０００５】
【特許文献１】特開２００７−１５０８３１号公報
【発明の概要】
【発明が解決しようとする課題】
【０００６】
従来の節電機能による表示の輝度の制御では、通常よりも輝度が下げられた節電状態において何らかの操作が行なわれると、その操作の如何にかかわらず、輝度が通常値に戻されていた。つまり、何らかの操作の行なわれた状況をユーザーが画面を見ている状況であるとみなし、操作を契機として節電状態を解除して画面を見易くする制御が行なわれていた。
【０００７】
しかし、操作が行なわれたとしても、それを契機として必ずしも表示を明るくして画面を見易くする必要のない場合がある。ユーザーにとって必要がないのに輝度を通常値に戻すことは、無駄に電力を消費することを意味する。
【０００８】
輝度を戻す必要のない場合として、ユーザーがタッチパネルを見ずに操作を行なっていると考えられる場合がある。例えば、携帯型の情報機器のユーザーがタッチパネルに表示させた画面をプロジェクターや大画面モニターに拡大表示させてプレゼンテーションを行っている状況を想定することができる。この状況において、タッチパネルを見ずに拡大表示された画面を見ながらタッチ操作をする場合が考えられる。特に、フリックによって画面をスクロールさせるときのように、タッチ面内のタッチ位置が不定でよい操作が行なわれるときにおいて、ユーザーがタッチ面を見ないことが十分にあり得る。
【０００９】
また、輝度を戻す必要のない他の場合は、ユーザーが引き続いて他の操作を行なわなくてもよい場合、すなわち以後に再び無操作状態の続くことが往々にしてあると考えられる場合である。例えば、起動中のアプリケーションを終了させたり、ユーザーに確認を求めるウインドウを閉じたりというように、それ自体で完結する指示を与える操作が行なわれる場合がある。この場合、アプリケーションを起動させたりウインドウを開いたりする操作が行なわれた場合と比べると、ユーザーが画面に関心をもっていないことが多い。したがって、この場合は以後に他の操作が行なわれるまで節電状態を保つのが、消費電力の低減の観点では好ましい。
【００１０】
本発明は、このような事情に鑑み、操作の行なわれない状態が続いたときに表示の輝度を下げる節電機能の有用性を高めることを目的としている。
【課題を解決するための手段】
【００１１】
上記目的を達成する情報機器は、前記タッチパネルを用いて行なわれた操作が、前記タッチパネルによる表示が暗いままでもよい場合の操作として定められた第１の操作および前記第１の操作ではない第２の操作のいずれであるかを判別する操作判別部と、前記タッチパネルを用いて行なわれた操作が前記第１の操作であると前記操作判別部によって判別されたときには、前記タッチパネルに対する輝度の設定値を変更せず、前記タッチパネルを用いて行なわれた操作が前記第２の操作であると前記操作判別部によって判別されたときには、節電時の値として定められた低輝度値よりも大きい高輝度値を前記設定値として設定する輝度設定部と、を備える。
【発明の効果】
【００１２】
本発明によれば、タッチパネルを用いて行なわれる操作についての予め設定された分類に応じて低輝度から高輝度への輝度の切替えが制御されるので、不必要な高輝度表示による電力の無駄な消費を低減することができる。
【図面の簡単な説明】
【００１３】
【図１】本発明の実施形態に係る表示システムの構成例を示す図である。
【図２】実施形態１に係るタブレットの機能構成を示す図である。
【図３】分類情報の第１例を示す図である。
【図４】輝度の設定値の一例を示す図である。
【図５】実施形態１に係るタブレットの輝度制御動作（Ａ１）のフローチャートである。
【図６】輝度制御動作（Ａ１）における高輝度設定ルーチンのフローチャートである。
【図７】輝度制御動作（Ａ１）における低輝度設定ルーチンのフローチャートである。
【図８】輝度制御動作（Ａ１）における操作の判別(ａ）ルーチンのフローチャートである。
【図９】実施形態１に係るタブレットの機能構成の変形例を示す図である。
【図１０】分類情報の第２例を示す図である。
【図１１】実施形態１に係る他の輝度制御動作（Ａ２）のフローチャートである。
【図１２】輝度制御動作（Ａ２）における輝度設定(ａ）ルーチンのフローチャートである。
【図１３】実施形態２に係るタブレットの機能構成を示す図である。
【図１４】分類情報の第３例を示す図である。
【図１５】実施形態２に係るタブレットの輝度制御動作（Ｂ１）のフローチャートである。
【図１６】輝度制御動作（Ｂ１）における輝度設定(ｂ）ルーチンのフローチャートである。
【図１７】輝度設定(ｂ）ルーチンにおける操作の判別(ｂ）ルーチンのフローチャートである。
【図１８】実施形態２におけるタブレットの機能構成の変形例を示す図である。
【図１９】実施形態２における他の輝度制御動作（Ｂ２）のフローチャートである。
【図２０】輝度制御動作（Ａ１）の変形例を示すフローチャートである。
【発明を実施するための形態】
【００１４】
タッチパネルを有する携帯型の情報機器の例として、タブレット型パーソナルコンピューター（以下、タブレットという）を挙げる。タブレットは、コンピュータープログラムを実行するＣＰＵ(Central Processing Unit)と、アプリケーションを動作させるためのオペレーティングシステムとを備えている。タブレットのユーザーは、オペレーティングシステムに適合した所望のアプリケーションをタブレットにインストールすることができる。
【００１５】
〔実施形態１〕
図１に例示される表示システムは、タブレット１およびプロジェクター６を有する。プロジェクター６は、例えば無線ＬＡＮ(Local Area Network)によってタブレット１に外部表示装置として接続される。図示ではアクセスポイント８を介してタブレット１とプロジェクター６とが通信を行う。ただし、ＬＡＮケーブル、ＵＳＢ(Universal Serial Bus)ケーブル、ブルートゥースなどの他の手段によってタブレット１とプロジェクター６とを通信可能に接続することができる。
【００１６】
タブレット１は、その前面の大半を占めるサイズのタッチパネル２１を備えている。タブレット１にプロジェクター６が接続されている状態において、タッチパネル２１によって表示されている画面（画像）がプロジェクター６によってスクリーン７に投影されて拡大表示される。タッチパネル２１において表示が切り替わると、それと同時（見た目の上で）にスクリーン７における表示も切り替わる。
【００１７】
なお、タッチパネル２１は、液晶パネルと輝度の切替えが可能なバックライトとを組み合せたディスプレイ、および投影型の静電容量式タッチパッドに信号回路基板を取り付けたポインティングデバイスを有する。タッチパネル２１は、２箇所に同時に触れるマルチタッチを検出することができる。
【００１８】
このような表示システムは各種のプレゼンテーションに使用される。会議、研修、商品説明、研究発表などに際して、プレゼンターは予め用意したドキュメントをタブレット１に表示させ、聴衆に見せるためにスクリーン７上にも表示させる。そして、プレゼンターは、タブレット１のタッチパネル２１において所定の操作を行なうことによって、画面をスクロールさせたり、画面として表示されるページを切り替えたり、画面の一部を拡大したり、画面内のマーク（ポインター）を移動させたりする。
【００１９】
タブレット１には、消費電力を低減する節電機能の一つとして、タッチパネル２１における表示の輝度をタッチパネル２１による操作に応じて自動制御する機能が搭載されている。輝度の自動制御は基本的には高輝度と低輝度との２段階の切替えである。表示を見易くすべき状況では高輝度とし、表示を見易くすべき状況でなければ低輝度とする。以下、輝度の制御に係るタブレット１の構成および動作をさらに詳しく説明する。
【００２０】
実施形態１において、操作に応じて輝度を自動制御する機能は、この機能に特化（特殊化）した節電用のアプリケーションによって実現される。節電用のアプリケーションは、例えばサーバーからダウンロードされてタブレット１にインストールされる。インストールされたアプリケーションは、ユーザーが行なった操作を示す情報をオペレーティングシステムから取得する。
【００２１】
図２はタブレット１における輝度の制御に係る機能構成を示している。図示のようにタブレット１は、操作入力部１０１、画面表示制御部１０３、外部接続管理部１０５、分類情報２１１、操作判別部２１２、および輝度設定部２１３を有している。これらの要素のうち、操作入力部１０１、画面表示制御部１０３、および外部接続管理部１０５は、主にオペレーティングシステムによって実現される機能要素である。これに対して、分類情報２１１、操作判別部２１２および輝度設定部２１３は、節電用のアプリケーション２１０のインストールによってタブレット１に組み入れられている。操作判別部２１２および輝度設定部２１３は、ダブレット１のＣＰＵがアプリケーション２１０を実行することによって実現される機能要素である。分類情報２１１は、操作判別部２１２が参照可能なようにダブレット１内の不揮発性メモリによって記憶される。
【００２２】
操作入力部１０１は、タッチパネル２１によるユーザーの操作を受け付ける。すなわち、操作入力部１０１は、タッチパネル２１から出力されるタッチ位置データに基づいて操作内容を判別し、判別結果を画面表示制御部１０３に伝える。詳しくは、操作をするユーザーの手の動き（ジェスチャー）が、一箇所を軽く叩く“タップ”、暫く押し続ける“ホールド”、タッチしたまま指をスライドさせる“ドラッグ”、画面を払うように指を短くスライドさせる“フリック”などの種類のうちのいずれに属するかが特定される。特定された動きの種類とタッチ位置とが判別結果として画面表示制御部１０３に伝えられる。
【００２３】
画面表示制御部１０３は、要求に応じた画面を表示するように、タッチパネル２１のディスプレイを駆動するディスプレイ駆動回路２３を制御する。操作入力部１０１から操作内容を示す判別結果が伝えられると、画面表示制御部１０３は現在の操作対象であるソフトウェアに判別結果を引き渡す。すなわち、タッチパネル２１において最前面に表示されている画面であるフォアグラウンドウィンドウに対応したアプリケーション（図示せず）に操作内容を通知する。通知を受けたアプリケーションがユーザーの指示を解析し、指示に応じた処理を実行する過程で、必要に応じて表示の切り替えを画面表示制御部１０３に依頼する。そして、依頼に応じるように画面表示制御部１０３はディスプレイ駆動回路２３を制御する。
【００２４】
例えば、現在の操作対象であるアプリケーションが、タブレット１にインストールされている複数のアプリケーションのアイコンを一覧表示するランチャーであって、ユーザーがアイコンの一つに対して“タップ”をしたとする。このタップはアプリケーションの選択を意味する。この場合、ランチャーは、選択されたアプリケーションを起動させるとともに、選択を受け付けたことを表わすためにアイコンを強調した画面の表示を画面表示制御部１０３に依頼する。そして、この依頼に画面表示制御部１０３が応じる。
【００２５】
外部接続管理部１０５は、通信インタフェース２５による外部装置との通信状態を監視する。外部接続管理部１０５は、何らかの外部装置とタブレット１とが通信可能な接続状態であるとき、操作判別部２１２からの問合せを受けて、接続されている外部装置の識別情報を操作判別部２１２に提供する。
【００２６】
図２に例示された節電用のアプリケーション２１０は、プレゼンテーション中の無駄な電力消費を低減するためのソフトウェアである。つまり、タブレット１がプレゼンテーションに用いられているときのみにおいて、アプリケーション２１０はタッチパネル２１の輝度を制御する。アプリケーション２１０において、プレゼンテーションに用いられているときとは、タブレット１にプロジェクター６、大画面テレビジョン、大型モニター、またはその他の外部表示装置が接続されているときである。外部表示装置にはプレゼンテーションの参加者が個々に所持する携帯型情報機器が含まれ、外部表示装置の画面サイズがタブレット１の画面サイズよりも大きいサイズである必要はない。
【００２７】
分類情報２１１は、ユーザーがタッチパネル２１を用いて行ない得る複数のタッチ操作のそれぞれが、“第１の操作”および“第２の操作”のいずれに該当するかの分類を示す。第１の操作とは、タッチパネル２１による表示が暗いままでもよい場合の操作として定められた操作である。第２の操作とは、第１の操作ではない操作である。具体的には図３に例示されるように、分類情報２１１は、「操作の種類」という項目３１１および「画面を見る操作」という項目３１２を有する設定テーブルである。
【００２８】
図３の例示において、項目３１１の「操作の種類」として、タップ、ダブルタップ、ホールドなどのユーザーによる動作によって区別される操作、およびシェイクというタブレット１自体を振る操作が挙げられている。そして、これら操作のそれぞれについて、画面を見る操作であるかどうかが示されている。“画面を見る操作”は表示を見易くすべき場合の操作であり、第１の操作と第２の操作との分類における第２の操作に相当する。図３中のチェックマークが付されている操作は、第２の操作に分類された操作である。これに対して、チェックマークが付されていない操作は、第２の操作に分類されていない操作（言い換えれば第１の操作に分類された操作）である。図示ではフリックおよびシェイクが第１の操作に分類され、他の操作は第２の操作に分類されている。
【００２９】
なお、分類情報２１１をユーザーがカスタマイズするためのユーザーインタフェースを提供することができる。例えば、図３に描かれているようなテーブルを表示し、項目３１２の各行のチェックボックスにユーザーがタップするごとに、チェックマークが付与された状態と付与されない状態とが交互に切り替わる公知の手法を用いればよい。デフォルトの分類を定めておき、ユーザーがデフォルトの分類をそのまま用いたり、部分的に変更したりすることができるようにすれば、カスタマイズが容易になって使い勝手が向上する。
【００３０】
図２に戻って、操作判別部２１２は、操作入力部１０１によって判別された操作が第１の操作および第２の操作のいずれであるかを、分類情報２１１に基づいて判別する。すなわち、操作判別部２１２は分類情報２１１を検索し、ユーザーの行なった操作（動作）の種類に対応づけられているデータに従って、ユーザーの行なった操作を第１の操作または第２の操作に特定する。
【００３１】
輝度設定部２１３は、操作判別部２１２によって判別が行なわれたときに、ディスプレイ駆動回路２３に対してタッチパネル２１の輝度制御の指示として与える輝度の設定値を見直す。設定値は低輝度値（Ｌｏｗ）および高輝度値（Ｈｉｇｈ）のいずれかである。そして、少なくとも設定値を変更した場合、輝度設定部２１３は変更後の設定値をディスプレイ駆動回路２３に与える。変更後の設定値は直ちにディスプレイ駆動回路２３によってタッチパネル２１における表示に反映される。ユーザーの行なった操作が第１の操作であると判別されたときには、輝度設定部２１３は、輝度の現在の設定値を変更しない。これに対して、ユーザーの行なった操作が第２の操作であると判別されたとき、輝度設定部２１３は、現在の設定値が節電時の値である低輝度値であれば、設定値を低輝度値よりも大きい高輝度値に変更する。現在の設定値が高輝度値であれば、輝度設定部２１３は設定値を変更しない。
【００３２】
図４は輝度の設定値の一例を示す図である。輝度設定部２１３が設定する“高輝度値”は、ユーザーがタブレット１に備わるデバイス設定ユーティリティを用いて画面の明るさとして設定した値（これを通常値と呼称する）である。ユーザーは用途や好みに応じて通常値を変更することができる。本例の通常値の可変範囲は、最低輝度（０％）から最大輝度（１００％）までの全範囲である。図４の例示では高輝度値としての通常値が１００％とされている。
【００３３】
一方、輝度設定部２１３が設定する“低輝度値”は固定であり、例示では１０％とされている。通常値の可変範囲が１０％以下の範囲を含むので、通常値の設定如何では高輝度値が低輝度値よりも小さい場合が起こり得る。このような場合、輝度設定部２１３は高輝度値から低輝度値への変更およびその逆の変更を行なわず、輝度の設定値を高輝度値（通常値）に保つ。
【００３４】
図５はタブレット１の輝度制御動作（Ａ１）のフローチャートである。
【００３５】
操作判別部２１２が、外部接続管理部１０５からの情報に基づいて、外部表示装置が接続されているかどうかをチェックする（＃１１）。その際、操作判別部２１２は、接続可能な外部表示装置の識別コード表を参照し、接続されている外部装置が表示装置であるかどうかを判別する。予め操作判別部２１２が主だったメーカーの表示装置の識別コード表を保有してもよいし、ユーザーがプレゼンテーションに使用する外部表示装置の識別コードを登録しておいてもよい。
【００３６】
外部表示装置が接続されていない場合（＃１１でＮＯ）、その旨を操作判別部２１２から伝えられた輝度設定部２１３が高輝度設定（＃１２）を行う。高輝度設定は、後述のとおり輝度の設定値を高輝度値とする処理である。高輝度設定が終わると、処理の流れはステップ＃１１へ戻る。つまり、外部表示装置が接続されていない状態において、アプリケーション２１０は輝度の設定値を常に高輝度値（通常値）とする。
【００３７】
外部表示装置が接続されている場合（＃１１でＹＥＳ）、操作判別部２１２は操作入力部１０１から操作内容を示す情報を取り込んで、まず、操作が行なわれたかどうかをチェックする（＃１３）。操作が行なわれていない場合（＃１３でＮＯ）、操作判別部２１２は、操作の行なわれていない無操作状態が設定時間（例えば１分）以上にわたって続いているかどうかをチェックする（＃１７）。このとき、操作判別部２１２は無操作期間を計時するタイマーを参照し、タイマーが停止している場合は計時を開始させる。
【００３８】
無操作状態が設定時間以上にわたって続いている場合（＃１７でＹＥＳ）、輝度設定部２１３が低輝度設定（＃１８）を行う。低輝度設定は、後述のとおり輝度の設定値を低輝度値とする処理である。ユーザーは無操作状態のチェックに関わる設定時間を使い勝手が良いように変更することができる。無操作期間が設定時間よりも短かった場合（＃１７でＮＯ）、処理の流れはステップ＃１１へ戻る。
【００３９】
一方、ステップ＃１３において、「操作が行なわれた」というチェック結果が得られた場合、続いて、操作判別部２１２は操作の判別（ａ）を行う（＃１４）。この処理において、操作判別部２１２は、操作入力部１０１によって判別された操作が第１の操作と第２の操作とのいずれであるかを、分類情報２１１に基づいて判別する。判別の結果は輝度設定部２１３へ伝えられる。
【００４０】
操作判別部２１２からの判別結果を受けた輝度設定部２１３は、判別結果に応じた輝度設定を行う。判別結果が輝度を上げる必要のない操作、すなわち第１の操作であれば（＃１５でＹＥＳ）、そのまま処理の流れはステップ＃１１へ戻る。操作判別部２１２による判別結果が輝度を上げる必要のある操作、すなわち第２の操作であれば（＃１５でＮＯ）、輝度設定部２１３は高輝度設定を行う（＃１６）。高輝度設定が終われば、処理の流れはステップ＃１３へ戻る。
【００４１】
図５におけるステップ＃１２およびステップ＃１６の高輝度設定では、図６に示される処理が行なわれる。図６のように、輝度設定部２１３は、現在の輝度の設定値をチェックする（＃１２１）。現在の設定値が低輝度値（Ｌｏｗ）であれば、設定値を高輝度値（Ｈｉｇｈ）に変更する（＃１２２）。現在の設定値が高輝度値（Ｈｉｇｈ）であれば、設定値は変更されず、処理の流れは図５の流れに戻る。このとき、設定値が高輝度値に維持されればよく、設定値を現在の値と同じ高輝度値に設定し直してもよい。
【００４２】
図５におけるステップ＃１８の低輝度設定では、図７に示される処理が行なわれる。図７のように、輝度設定部２１３は、現在の輝度の設定値をチェックする（＃１８１）。現在の設定値が高輝度値（Ｈｉｇｈ）であれば、設定値を低輝度値（Ｌｏｗ）に変更する（＃１８２）。現在の設定値が低輝度値（Ｌｏｗ）であれば、設定値は変更されず、処理の流れは図５の流れに戻る。このとき、設定値が低輝度値に維持されればよく、設定値を現在の値と同じ低輝度値に設定し直してもよい。
【００４３】
図８は輝度制御動作（Ａ１）における操作の判別(ａ）ルーチンのフローチャートである。操作判別部２１２は、所定のメモリから分類情報２１１を読み出し（＃１４１）、操作入力部１０１から操作の動作の種類を取得する（＃１４２）。そして、操作判別部２１２は、取得した種類に対する分類情報２１１が示す分類に基づいて、ユーザーが行なった操作が第１の操作および第２の操作のいずれであるかを判別する（＃１４３）。
【００４４】
（実施形態１の変形例）
図９は実施形態１に係るタブレットの機能構成の変形例を示している。図９において、図２に対応する構成要素には図２と同一の符号を付してある。以降では、このように同一の符号の付された要素についての説明を省略または簡略化する。
【００４５】
図９に示されるタブレット１ｂには、節電用のアプリケーション２１０ｂがインストールされている。上述の図２の構成との比較の上でのアプリケーション２１０ｂの最も大きな特徴は、アプリケーション２１０ｂがアプリケーション判別部２１４を有することである。
【００４６】
アプリケーション判別部２１４は、オペレーティングシステムのマルチタスク機能によって図示しない複数のアプリケーションが起動されている状態において、ユーザーによる現在の操作対象となっているアプリケーションを判別する。操作対象のアプリケーションとは、タッチパネル２１において最前面に表示されている操作画面であるフォアグラウンドウィンドウに対応したアプリケーションである。アプリケーション判別部２１４は、画面表示制御部１０３からフォアグラウンドウィンドウに関する情報を取得し、現在の操作対象を特定するアプリケーション識別データ（例えばアプリケーション名）を操作判別部２１２ｂに引き渡す。
【００４７】
操作判別部２１２ｂは、インストールされたアプリケーション別に複数の操作のそれぞれの分類を示す分類情報２１１ｂを参照して、ユーザーの行なった操作が第１の操作および第２の操作のいずれであるかを判別する。操作判別部２１２ｂによる判別結果に応じて、輝度設定部２１３が輝度を設定する。輝度設定部２１３による設定は直ちにディスプレイ駆動回路２３によってタッチパネル２１による表示に反映される。
【００４８】
分類情報２１１ｂの一例が図１０に示される。分類情報２１１ｂは、「操作の種類」という項目３１１および「画面を見ない操作」という項目３１２ｂを有する設定テーブルである。“画面を見ない操作”は表示を見易くする必要がない場合の操作であり、第１の操作と第２の操作との分類における第１の操作に相当する。図中のチェックマークが付されている操作は、第１の操作に分類された操作である。これに対して、チェックマークが付されていない操作は、第１の操作に分類されていない操作（言い換えれば第２の操作に分類された操作）である。
【００４９】
分類情報２１１ｂでは、タブレット１ｂが実行可能なアプリケーション別に、ユーザーによる動作自体の種類で区別される操作が第１の操作および第２の操作のいずれかに分類されている。そして、分類情報２１１ｂには、デフォルトの分類を示すデータ２１１Ｄが含まれている。ユーザーは、アプリケーション別の分類をカスタマイズすることができ、カスタマイズに際してデフォルトの分類をそのまま用いたり、部分的に変更して用いたりすることができる。
【００５０】
図１１は、実施形態１に係る図９に示されるタブレット１ｂにおける輝度制御動作（Ａ２）のフローチャートである。
【００５１】
操作判別部２１２ｂが、外部接続管理部１０５からの情報に基づいて、外部表示装置が接続されているかどうかをチェックする（＃２１）。外部表示装置が接続されていない場合（＃２１でＮＯ）、その旨を操作判別部２１２ｂから伝えられた輝度設定部２１３が高輝度設定（＃２２）を行う。高輝度設定は、図６のとおり輝度の設定値を高輝度値とする処理である。高輝度設定が終わると、処理の流れはステップ＃２１へ戻る。
【００５２】
外部表示装置が接続されている場合（＃２１でＹＥＳ）、その旨を操作判別部２１２ｂから伝えられたアプリケーション判別部２１４が、現在の操作対象のアプリケーションを判別する（＃２３）。現在の操作対象を伝える通知を受けた操作判別部２１２ｂは、現在の操作対象についての分類が分類情報２１１ｂの中にあるかどうかをチェックする（＃２４）。現在の操作対象についての分類があれば（＃２４でＹＥＳ）、それを判別に適用する分類として定める（＃２５）。すなわち、分類情報２１１ｂのうちの操作の判別に際して注目すべき部分として、現在の操作対象についての分類を示す部分を設定する。現在の操作対象についての分類がなければ（＃２４でＮＯ）、デフォルトの分類を判別に適用する分類として定める（＃２６）。このように判別に適用する分類が定められた後、操作判別部２１２ｂおよび輝度設定部２１３の関与する輝度設定（ａ）の処理が行なわれる（＃２７）。
【００５３】
図１２は輝度制御動作（Ａ２）における輝度設定(ａ）ルーチンのフローチャートである。このルーチンにおいて、まず、操作判別部２１２ｂが操作入力部１０１から操作内容を示す情報を取り込んで、操作が行なわれたかどうかをチェックする（＃２７１）。
【００５４】
操作が行なわれていない場合（＃１３でＮＯ）、続いて操作判別部２１２ｂは、操作の行なわれていない無操作状態が設定時間以上にわたって続いているかどうかをチェックする（＃２７５）。無操作状態が設定時間以上にわたって続いている場合（＃２７５でＹＥＳ）、輝度設定部２１３が低輝度設定（＃２７６）を行う。低輝度設定は、上述のとおり輝度の設定値を低輝度値とする処理である（図７参照）。
【００５５】
一方、ステップ＃２７１において、「操作が行なわれた」というチェック結果が得られた場合、続いて操作判別部２１２ｂは図８に示した操作の判別（ａ）を行う（＃２７２）。この処理において、操作判別部２１２ｂは、操作入力部１０１によって判別された操作が第１の操作と第２の操作とのいずれであるかを、分類情報２１１ｂのうちの上述の処理で適用する分類として定められた分類を示す部分に基づいて判別する。判別の結果は輝度設定部２１３へ伝えられる。
【００５６】
操作判別部２１２ｂからの判別結果を受けた輝度設定部２１３は、判別結果に応じた輝度設定を行う。判別結果が輝度を上げる必要のない操作、すなわち第１の操作であれば（＃２７３でＹＥＳ）、そのまま処理の流れは図１１のフローに戻る。操作判別部２１２ｂによる判別結果が第２の操作であれば（＃２７３でＮＯ）、輝度設定部２１３は高輝度設定を行う（＃２７４）。高輝度設定は、上述のとおり輝度の設定値を高輝度値とする処理である（図６参照）。
【００５７】
〔実施形態２〕
実施形態２では、節電に特化した実施形態１のようなアプリケーションではなく、タッチパネルによる表示を伴う様々な処理を操作に従って実行するアプリケーションに付加機能要素として組み込まれたサブプログラムによって、タッチパネルの輝度が制御される。
【００５８】
図１３は実施形態２に係るタブレット１ｃの機能構成を示している。図１３において、図２に対応する構成要素には図２と同一の符号を付してある。タブレット１ｃには、プレゼンテーション用のアプリケーション２２０がインストールされている。これにより、タブレット１ｃは、プレゼンテーション処理部２２５、分類情報２２１、操作判別部２２２、および輝度設定部２１３を備える。アプリケーション２２０の主体はプレゼンテーション処理部２２５であり、アプリケーション２２０における付加的な要素が分類情報２２１、操作判別部２２２、および輝度設定部２１３である。節電のための輝度制御機能は、これら付加的な要素によって実現される。
【００５９】
プレゼンテーション処理部２２５は、複数のページを有するドキュメントをタッチパネル２１と外部表示装置とにデュアル表示させるプレゼンテーションモード、およびドキュメントの作成や編集のための処理を行なう非プレゼンテーションモードを有する。プレゼンテーションモードにおいて、プレゼンテーション処理部２２５は、タッチ操作によって与えられるユーザーの指示に従って、ページ単位の表示を進めたり、ページを拡大したり、ページ内でポインターを移動させたり、自由線を書き込んだりする。そして、プレゼンテーション処理部２２５は、与えられた指示の内容を操作判別部２２２に伝える。
【００６０】
操作判別部２２２は、ユーザーの指示内容によって区別される複数の操作のそれぞれについての分類を示す分類情報２２１を参照して、ユーザーの行なった操作が第１の操作および第２の操作のいずれであるかを判別する。操作判別部２２２による判別結果に応じて、輝度設定部２１３が輝度を設定する。輝度設定部２１３による設定は直ちにディスプレイ駆動回路２３によってタッチパネル２１による表示に反映される。
【００６１】
分類情報２２１の一例が図１４に示される。分類情報２２１は、「操作の種類」という項目３２１および「画面を見ない操作」という項目３２２を有する設定テーブルである。本例における項目３２１の「操作の種類」は、ユーザーによるタッチ動作そのものの種類ではなく、タッチ動作によって指示されたタブレット１ｃが行うべき動作の種類を意味する。例示では、ページ送り、ページ戻し、一覧表示からのジャンプといった動作が挙げられている。“画面を見ない操作”は上述の例と同様に表示を見易くする必要がない場合の操作であり、第１の操作と第２の操作との分類における第１の操作に相当する。図中のチェックマークが付されている操作が、第１の操作に分類された操作である。
【００６２】
図１５は、実施形態２に係る図１３に示されるタブレット１ｃの輝度制御動作（Ｂ１）のフローチャートである。
【００６３】
プレゼンテーション処理部２２５は、ユーザーによってプレゼンテーションモードが選択されている状態において、外部表示装置が接続されているかどうかをチェックする（＃３１）。外部表示装置が接続されている場合（＃３１でＹＥＳ）、続いてプレゼンテーション処理部２２５は、節電のために操作を監視するサブプログラムが起動されているかどうかをチェックする（＃３２）。サブプログラムが起動されていない場合（＃３２でＮＯ）、プレゼンテーション処理部２２５はサブプログラムを起動する（＃３３）。これにより操作判別部２２２による操作の監視が開始される。そして、サブプログラムの実行によって、操作判別部２２２および輝度設定部２１３の関与する輝度設定（ｂ）の処理が行なわれる（＃３４）。
【００６４】
外部表示装置が接続されていない場合も（＃３１でＮＯ）、プレゼンテーション処理部２２５はサブプログラムの起動の有無をチェックする（＃３５）。外部表示装置との接続が解除された直後の時点ではサブプログラムが稼動している。このような場合（＃３５でＹＥＳ）、プレゼンテーション処理部２２５はサブプログラムの実行を終了させる。
【００６５】
図１６は、図１５の輝度制御動作（Ｂ１）における輝度設定(ｂ）ルーチンのフローチャートである。このルーチンにおいて、まず、操作判別部２２２がプレゼンテーション処理部２２５から操作内容を示す情報を取得して、操作が行なわれたかどうかをチェックする（＃３４１）。
【００６６】
操作が行なわれていない場合（＃３４１でＮＯ）、操作判別部２２２は、操作の行なわれていない無操作状態が設定時間（例えば１分）以上にわたって続いているかどうかをチェックする（＃３４５）。無操作状態が設定時間以上にわたって続いている場合（＃３４５でＹＥＳ）、輝度設定部２１３が低輝度設定（＃３４６）を行う。低輝度設定は、上述のとおり輝度の設定値を低輝度値とする処理である（図７参照）。
【００６７】
一方、ステップ＃３４１において、「操作が行なわれた」というチェック結果が得られた場合、続いて、操作判別部２２２は操作の判別（ｂ）を行なう（＃３４２）。この処理において、操作判別部２２２は、ユーザーがプレゼンテーション処理部２２５に対して指示を与える操作が第１の操作と第２の操作とのいずれであるかを、分類情報２２１に基づいて判別する。判別の結果は輝度設定部２１３へ伝えられる。
【００６８】
操作判別部２２２からの判別結果を受けた輝度設定部２１３は、判別結果に応じた輝度設定を行う。判別結果が輝度を上げる必要のない操作、すなわち第１の操作であれば（＃３４３でＹＥＳ）、輝度設定部２１３は現在の輝度の設定値を維持する。つまり、輝度の設定値を変更しない。処理の流れはステップ＃３４１へ戻る。一方、操作判別部２２２による判別結果が第２の操作であれば（＃３４３でＮＯ）、輝度設定部２１３は高輝度設定を行う（＃３４４）。高輝度設定は、上述のとおり輝度の設定値を高輝度値とする処理である（図６参照）。高輝度設定を終えた後、処理の流れはステップ＃３４１へ戻る。
【００６９】
図１７は、図１６の輝度設定(ｂ）ルーチンにおける操作の判別(ｂ）ルーチンのフローチャートである。操作判別部２２２は、所定のメモリから分類情報２２１を読み出し（＃４２１）、プレゼンテーション処理部２２５が画面表示制御部１０３に表示を依頼する画面と現在の画面との差異（表示の変化）からユーザーがプレゼンテーション処理部２２５に与えた指示を判別する（＃４２２）。そして、操作判別部２２２は、判別したユーザーの指示に対する分類情報２２１が示す分類に基づいて、ユーザーが行なった操作が第１の操作および第２の操作のいずれであるかを判別する（＃４２３）。
【００７０】
（実施形態２の変形例）
図１８は実施形態２に係るタブレットの機能構成の変形例を示している。図１８において、図２に対応する構成要素には図２と同一の符号を付してある。
【００７１】
図１８に示されるタブレット１ｄには、タッチパネルによる表示を伴う各種の処理をタッチ操作に従って実行するアプリケーション２３０がインストールされている。これにより、タブレット１ｄは、メイン処理部２３５、分類情報２２１ｂ、操作判別部２３２、および輝度設定部２１３を備える。アプリケーション２３０の主体はメイン処理部２３５であり、アプリケーション２３０における付加的な要素が分類情報２２１ｂ、操作判別部２３２、および輝度設定部２１３である。節電のための輝度制御機能は、これら付加的な要素によって実現される。
【００７２】
メイン処理部２３５がユーザーに提供する主機能は、例えばワードプロセッシングである。ただし、これに限らず、表計算、Ｗｅｂブラウジング、ファイラー、ゲームなど、ビジネスユースまたはパーソナルユースの任意の機能であってよい。メイン処理部２３５がプレゼンテーションを含むデュアル表示用の機能要素でない場合、タブレット１ｄに外部表示装置が接続される必要はない。
【００７３】
メイン処理部２３５は、操作入力部１０１から伝えられる操作内容を解析し、ユーザーによって指示された処理を行なう。その過程で必要に応じて画面表示制御部１０３に表示内容の切替えを依頼する。メイン処理部２３５に対して指示を与える操作の内容は、メイン処理部２３５から操作判別部２３２へ伝えられる。
【００７４】
操作の内容が伝えられた操作判別部２３２は、ユーザーが行ない得る複数の操作のそれぞれについての分類を示す分類情報２２１ｂを参照して、ユーザーの行なった操作が第１の操作および第２の操作のいずれであるかを判別する。操作判別部２３２による判別結果に応じて、輝度設定部２１３が輝度を設定する。輝度設定部２１３による設定は直ちにディスプレイ駆動回路２３によってタッチパネル２１による表示に反映される。
【００７５】
分類情報２２１ｂは、図３の例のようにタッチ動作自体の種類によって区別される操作ごとに分類を示す情報であってもよいし、図１４の例のようにユーザーの指示の内容によって区別される操作ごとに分類を示す情報であってもよい。ユーザーの指示の内容によって操作が区別される場合、実行中の処理を中止させたり、ユーザーに確認を求めるウインドウを閉じたりというように、それ自体で完結する指示を与える操作を第１の操作とすることができる。
【００７６】
図１９は、実施形態２に係る図１８に示されるタブレット１ｄにおける輝度制御動作（Ｂ２）のフローチャートである。
【００７７】
このルーチンにおいて、操作判別部２３２は、メイン処理部２３５に対する操作が行なわれるのを待つ（＃４４１）。操作が行なわれると（＃４４１でＹＥＳ）、操作判別部２３２はメイン処理部２３５から操作内容を示す情報を取り込んで、操作が第１の操作および第２の操作のいずれであるかを、分類情報２２１ｂに基づいて判別する（＃４４２）。このとき、分類情報２２１ｂがタッチ動作自体の種類によって区別される操作ごとに分類を示す場合には、図７に示される操作の判別（ａ）の処理を行なう。分類情報２２１ｂがユーザーの指示の内容によって区別される操作ごとに分類を示す場合には、図１７に示される操作の判別（ｂ）の処理を行なう。
【００７８】
操作判別部２３２による判別結果が第１の操作（輝度を上げる必要のない操作）であった場合（＃４４３でＹＥＳ）、処理の流れはステップ＃４４１へ戻る。操作判別部２３２による判別結果が第２の操作（輝度を上げる必要のある操作）であった場合（＃４４３でＮＯ）、輝度設定部２１３は高輝度設定を行う（＃４４４）。高輝度設定は、上述のとおり輝度の設定値を高輝度値とする処理である（図６参照）。
【００７９】
図１９から明らかなように、輝度制御動作（Ｂ２）は低輝度設定を行なわない。つまり、アプリケーション２３０における節電機能は、タッチパネル２１による表示が低輝度とされた節電状態を、その解除が必要とされるときのみに解除する動作に特化されている。タブレット１ｄには、所定長さの無操作期間が発生したときに表示の輝度を下げる、アプリケーション２３０とは独立したソフトウェアが搭載されている。低輝度設定は、このソフトウェアが行う。
【００８０】
以上の実施形態１，２において、さらに幾つかの変形例がある。
【００８１】
上述の実施形態１において、タッチ動作自体の種類とタッチ位置との組合せによって操作を区別して操作を分類することができる。例えば、タッチ面内の下端部のタップを第１の操作とし、他の部位のタップを第２の操作とすることができる。このような分類は、ユーザーがタッチパネルを見ずに外部の表示を見ながら操作することの多い操作ボタン（例えばページ送りボタン）をタッチ面内の特定部位に配置するアプリケーションにおいて有用である。
【００８２】
上述の実施形態１では、外部表示装置が接続されているとき、無操作状態が設定時間以上にわたって続かない限り、輝度の設定値は高輝度値に維持される。しかし、これに限らない。外部表示装置の接続を検知した時点で直ちに節電状態に移行させてもよい。その場合、図５のフローチャートにおいて、ステップ＃１１とステップ＃１３との間に低輝度設定を行うステップを挿入すればよい。同様に、図１１のフローチャートにおいて、ステップ＃２１とステップ＃２３との間に低輝度設定を行うステップを挿入すればよい。これにより、プロジェクター６または他の外部表示装置が接続されたときに直ちにタッチパネル２１の消費電力を抑え、それによってバッテリー駆動の可能な時間を延ばすことができる。
【００８３】
上述の実施形態２においても、外部表示装置の接続を検知した時点で速やかに節電状態に移行させてもよい。その場合、図１５のフローチャートにおいて、例えばサブプログラムを起動させるステップ＃３３の直後に低輝度設定を行うステップを挿入すればよい。
【００８４】
実施形態２に係るタブレット１ｃにおいて、プレゼンテーション処理部２２５に節電用のサブプログラムを起動させるのに代えて、タブレット１ｃに備わる起動サービスプログラムに、外部表示装置が接続されたときに節電用のサブプログラムを起動するよう登録しておいてもよい。
【００８５】
上述の実施形態１，２において、外部表示装置を接続する用途に限ってタブレット１，１ｂ，１ｃが使用されるのであれば、接続される外部装置が表示装置であるかどうかの識別を行なわず、何らかの外部装置が接続されているときに、輝度の制御を行うようにしてもよい。
【００８６】
ユーザーの行なった操作を第１の操作であると判別したとき、現在の輝度の設定値に係らず強制的に設定値を低輝度値とすることができる。具体的には、図５のステップ＃１５、図１２のステップ＃２７３、図１６のステップ＃３４３、および図１９のステップ＃４４３のそれぞれのチェックでＹＥＳであった場合に、続いて低輝度設定の処理を行なうようにすることができる。図２０は図５のフローチャートに低輝度設定を行なうステップ＃１９を追加した変形例を示している。
【００８７】
第１の操作が行なわれたときに輝度の設定値を強制的に低輝度値にすると、第１の操作と第２の操作とが交互に連続的に行なわれる場合、タッチパネル２１による表示が点滅するかのように暗くなったり明るくなったりして見辛くなる。そこで、高輝度値から低輝度値への変更を、高輝度値の表示が行なわれてから所定の時間が経過するまでは行なわないようにする。つまり、輝度値の変更を短期間の間に頻繁に行なわないようにする。これにより、節電効果の向上と表示の見辛さの低減の両立を図ることができる。
【００８８】
分類情報２１１，２１１ｂ，２２１，２２１ｂの内容は、操作対象に応じて適宜設定することができる。例えば、操作対象のアプリケーションがワードプロセッサーである場合、カーソル移動やページスクロールを第１の操作とすることができる。分類情報２１１，２１１ｂ，２２１，２２１ｂは、ユーザーによる操作が第１の操作であるかまたは第２の操作であるかを示す情報であればよく、第１の操作および第２の操作のうちの第１の操作に分類された操作のみを列挙する情報または第２の操作に分類された操作のみを列挙する情報であってよい。
【００８９】
輝度の設定値の一つである低輝度値を固定とせず、高輝度値（通常値）に対する比率で特定するようにしてもよい。そのようにした場合、高輝度値の設定に応じて低輝度値の絶対値は変わる。比率を例えば５０％（高輝度値の半分）というように固定値してもよいし、高輝度値に応じて変化する変数としてもよい。基本的には、低輝度値が高輝度値よりも小さくなるようにすれば、節電の効果が得られる。また、高輝度値および低輝度値の両方を固定値としてもよい。
【００９０】
タブレット１，１ｂ，１ｃ，１ｄの機能構成、ハードウェア構成、および動作は本発明の趣旨に沿う範囲内で適宜変更してもよい。例えば、タッチパネル２１のポインティングデバイスはシングルタッチのみの検出が可能な形式であってよい。その場合、ピンチインやピンチアウトといったマルチタッチはユーザーが行う得る操作に該当しない。
【００９１】
タブレットに限らず、スマートフォン、表示と操作とに兼用されるタッチパネルを有する他の携帯型の情報機器、およびタッチ式ポインティングデバイスが密着したディスプレイを備えるノート型パーソナルコンピューターにも本発明を適用することができる。
【符号の説明】
【００９２】
１，１ｂ，１ｃ，１ｄ    タブレット（携帯型の情報機器）
２１    タッチパネル
２１１，２１１ｂ，２２１，２２１ｂ    分類情報
２１２，２１２ｂ、２２２，２３２    操作判別部
２１３    輝度設定部
６    プロジェクター（外部表示装置）
２５    通信インタフェース
２１４    アプリケーション判別部
２１１Ｄ    データ（デフォルト分類）
２２５    プレゼンテーション処理部（メイン処理部）
２３５    メイン処理部
２１０，２１０ｂ    節電用のアプリケーション（コンピュータープログラム）
２２０，２３０    アプリケーション（コンピュータープログラム）
【図１】
2014038514.tif 000003
【図２】
2014038514.tif 000004
【図３】
2014038514.tif 000005
【図４】
2014038514.tif 000006
【図５】
2014038514.tif 000007
【図６】
2014038514.tif 000008
【図７】
2014038514.tif 000009
【図８】
2014038514.tif 000010
【図９】
2014038514.tif 000011
【図１０】
2014038514.tif 000012
【図１１】
2014038514.tif 000013
【図１２】
2014038514.tif 000014
【図１３】
2014038514.tif 000015
【図１４】
2014038514.tif 000016
【図１５】
2014038514.tif 000017
【図１６】
2014038514.tif 000018
【図１７】
2014038514.tif 000019
【図１８】
2014038514.tif 000020
【図１９】
2014038514.tif 000021
【図２０】
2014038514.tif 000022